(57)【要約】【課題】パッティング練習装置において、打球済みのゴルフボールをパッティング位置の近傍に戻せるとともに、カップイン間際の距離感をつかめるようにする。【解決手段】このパッティング練習装置１は、土台プレート２と、この土台プレート２の上方に略水平に設置される芝マット３とを有している。芝マット３には、ゴルフボール７を打球するパッティング位置ＰＰが定められるとともに、このパッティング位置ＰＰから打球されたゴルフボール７を受け入れるカップが取り付けられている。土台プレート２と芝マット３との間には、カップに入ったゴルフボール７を案内してパッティング位置ＰＰの近傍に戻す第１のボール回収装置１１が設けられている。【選択図】図１
2017153499.tif 000002
【特許請求の範囲】
【請求項１】
土台プレートと、この土台プレートの上方に略水平に設置される芝マットとを有するパッティング練習装置であって、
前記芝マットには、ゴルフボールを打球するパッティング位置が定められるとともに、このパッティング位置から打球されたゴルフボールを受け入れるカップが取り付けられ、
前記土台プレートと前記芝マットとの間には、前記カップに入ったゴルフボールを案内して前記パッティング位置の近傍に戻す第１のボール回収装置が設けられていることを特徴とするパッティング練習装置。
【請求項２】
前記土台プレートと前記芝マットとの間には、上下方向に所定の間隔を有する空間が形成され、
前記第１のボール回収装置は、とい形のボール通路が前記空間に水平方向から傾いて設置され、前記カップに入ったゴルフボールが前記ボール通路に沿って転動しつつ導かれるように構成されていることを特徴とする請求項１に記載のパッティング練習装置。
【請求項３】
前記芝マットの周囲には、前記カップに入り損ねて前記芝マットの周囲を越えたゴルフボールを案内して前記パッティング位置の近傍に戻す第２のボール回収装置が設けられていることを特徴とする請求項１または２に記載のパッティング練習装置。
【請求項４】
前記芝マットは、支柱を介して前記土台プレートの上方に支持されていることを特徴とする請求項１乃至３のいずれかに記載のパッティング練習装置。
【請求項５】
前記支柱は、前記土台プレートに対して着脱自在に設けられ、当該支柱を前記土台プレートに位置決めする第１の位置決め手段が設けられていることを特徴とする請求項４に記載のパッティング練習装置。
【請求項６】
前記芝マットは、前記支柱に対して着脱自在に設けられ、当該芝マットを前記支柱に位置決めする第２の位置決め手段が設けられていることを特徴とする請求項４または５に記載のパッティング練習装置。
【請求項７】
前記芝マットは、合成樹脂製の基板に人工芝が貼り合わされて一体化されたもの、人工芝からなるもの、合成樹脂製の基板に防根シートが貼り合わされたもの、または、植栽された天然芝を有するものであることを特徴とする請求項１乃至６のいずれかに記載のパッティング練習装置。
【請求項８】
前記土台プレートおよび前記芝マットは、それぞれ複数の土台プレートパーツおよび芝マットパーツに着脱自在に分割しうるように構成されていることを特徴とする請求項１乃至７のいずれかに記載のパッティング練習装置。
【発明の詳細な説明】
【技術分野】
【０００１】
本発明は、ゴルフの練習者（ゴルファー）が自宅の室内などに設置してパッティング練習を行う際に適用するのに好適なパッティング練習装置に関するものである。
【背景技術】
【０００２】
従来、この種のパッティング練習装置としては、打球済みのゴルフボールをカップの近傍まで取りに行かなければならない面倒を避けるべく、芝マットにカップ間際で傾斜を付けてカップを高い位置に取り付け、このカップに連通させてボール通路を設けることにより、カップインしたゴルフボールを回収してパッティング位置の近傍に戻すものが提案されていた（例えば、特許文献１参照）。
【先行技術文献】
【特許文献】
【０００３】
【特許文献１】実開平２−３２８７０号公報
【発明の概要】
【発明が解決しようとする課題】
【０００４】
しかしながら、こうした従来のパッティング練習装置では、芝マットにカップ間際で傾斜が付けられているため、パッティング練習を行うときに、カップイン間際の距離感がつかめないという不都合があった。
【０００５】
本発明は、このような事情に鑑み、打球済みのゴルフボールをパッティング位置の近傍に戻すことができるとともに、カップイン間際の距離感をつかむことが可能なパッティング練習装置を提供することを目的とする。
【課題を解決するための手段】
【０００６】
かかる目的を達成するため、請求項１に記載の発明は、土台プレートと、この土台プレートの上方に略水平に設置される芝マットとを有するパッティング練習装置であって、前記芝マットには、ゴルフボールを打球するパッティング位置が定められるとともに、このパッティング位置から打球されたゴルフボールを受け入れるカップが取り付けられ、前記土台プレートと前記芝マットとの間には、前記カップに入ったゴルフボールを案内して前記パッティング位置の近傍に戻す第１のボール回収装置が設けられているパッティング練習装置としたことを特徴とする。
【０００７】
また、請求項２に記載の発明は、請求項１に記載の構成に加え、前記土台プレートと前記芝マットとの間には、上下方向に所定の間隔を有する空間が形成され、前記第１のボール回収装置は、とい形のボール通路が前記空間に水平方向から傾いて設置され、前記カップに入ったゴルフボールが前記ボール通路に沿って転動しつつ導かれるように構成されていることを特徴とする。
【０００８】
また、請求項３に記載の発明は、請求項１または２に記載の構成に加え、前記芝マットの周囲には、前記カップに入り損ねて前記芝マットの周囲を越えたゴルフボールを案内して前記パッティング位置の近傍に戻す第２のボール回収装置が設けられていることを特徴とする。
【０００９】
また、請求項４に記載の発明は、請求項１乃至３のいずれかに記載の構成に加え、前記芝マットは、支柱を介して前記土台プレートの上方に支持されていることを特徴とする。
【００１０】
また、請求項５に記載の発明は、請求項４に記載の構成に加え、前記支柱は、前記土台プレートに対して着脱自在に設けられ、当該支柱を前記土台プレートに位置決めする第１の位置決め手段が設けられていることを特徴とする。
【００１１】
また、請求項６に記載の発明は、請求項４または５に記載の構成に加え、前記芝マットは、前記支柱に対して着脱自在に設けられ、当該芝マットを前記支柱に位置決めする第２の位置決め手段が設けられていることを特徴とする。
【００１２】
また、請求項７に記載の発明は、請求項１乃至６のいずれかに記載の構成に加え、前記芝マットは、合成樹脂製の基板に人工芝が貼り合わされて一体化されたもの、人工芝からなるもの、合成樹脂製の基板に防根シートが貼り合わされたもの、または、植栽された天然芝を有するものであることを特徴とする。
【００１３】
さらに、請求項８に記載の発明は、請求項１乃至７のいずれかに記載の構成に加え、前記土台プレートおよび前記芝マットは、それぞれ複数の土台プレートパーツおよび芝マットパーツに着脱自在に分割しうるように構成されていることを特徴とする。
【発明の効果】
【００１４】
請求項１に記載の発明によれば、土台プレートと芝マットとの間に第１のボール回収装置が設けられているので、パッティング練習を行うときに、この第１のボール回収装置により、カップインしたゴルフボールをパッティング位置の近傍に戻すことができる。しかも、芝マットが略水平に設置されているので、パッティング練習を行うときに、カップイン間際の距離感をつかむことが可能となる。
【００１５】
また、請求項２に記載の発明によれば、とい形のボール通路が土台プレートと芝マットとの間に水平方向から傾いて設置され、カップインしたゴルフボールがこのボール通路に沿って転動しつつ導かれるように構成されているので、上述した効果を奏するパッティング練習装置を容易に実現することができる。
【００１６】
また、請求項３に記載の発明によれば、芝マットの周囲に第２のボール回収装置が設けられているので、パッティング練習を行うときに、この第２のボール回収装置により、カップインしなかったゴルフボール（芝マット上にとどまったゴルフボールを除く。）をパッティング位置の近傍に戻すことができる。
【００１７】
また、請求項４に記載の発明によれば、芝マットが支柱を介して土台プレートの上方に支持されているので、パッティング練習装置を簡素な構造で安価に構成することができる。
【００１８】
また、請求項５に記載の発明によれば、支柱が土台プレートに対して着脱自在に設けられ、この支柱を土台プレートに位置決めする第１の位置決め手段が設けられているので、支柱を土台プレートに容易かつ迅速に位置決めできることに加えて、これらの支柱と土台プレートとが互いに分離可能になるため、パッティング練習装置の維持費を抑制することができる。
【００１９】
また、請求項６に記載の発明によれば、芝マットが支柱に対して着脱自在に設けられ、この芝マットを支柱に位置決めする第２の位置決め手段が設けられているので、芝マットを支柱に容易かつ迅速に位置決めできることに加えて、これらの芝マットと支柱とが互いに分離可能になるため、パッティング練習装置の維持費を抑制することができる。
【００２０】
また、請求項７に記載の発明によれば、芝マットが、合成樹脂製の基板に人工芝が貼り合わされて一体化されたもの、人工芝からなるもの、合成樹脂製の基板に防根シートが貼り合わされたもの、または、植栽された天然芝を有するものであるため、練習者の嗜好に合わせたパッティング練習を行うことができる。
【００２１】
さらに、請求項８に記載の発明によれば、土台プレートおよび芝マットが、それぞれ複数の土台プレートパーツおよび芝マットパーツに着脱自在に分割しうるように構成されているので、パッティング練習を行うときに、パッティング練習装置を簡単に組み立てることができるとともに、パッティング練習を行わないときには、パッティング練習装置の保管スペースを小さくすることが可能となる。
【図面の簡単な説明】
【００２２】
【図１】本発明の実施の形態１に係るパッティング練習装置を示す平面図である。
【図２】図１に示すパッティング練習装置のＡ矢視図である。
【図３】図１に示すパッティング練習装置のＢ矢視図である。
【図４】図１に示すパッティング練習装置において、芝マットを取り外した状態を示す平面図である。
【図５】図４に示すパッティング練習装置のＣ矢視図である。
【図６】図４に示すパッティング練習装置のＤ−Ｄ線による断面図である。
【図７】本発明の実施の形態１に係るパッティング練習装置の支柱を示す図であって、（ａ）はその正面図、（ｂ）はその平面図、（ｃ）はその底面図である。
【図８】本発明の実施の形態１に係るパッティング練習装置のスタンドを示す図であって、（ａ）はその正面図、（ｂ）はその平面図、（ｃ）はその底面図である。
【図９】本発明の実施の形態１に係るパッティング練習装置の土台プレートを示す平面図である。
【図１０】本発明の実施の形態１に係るパッティング練習装置の芝マットパーツを示す図であって、（ａ）はその正面図、（ｂ）はその平面図、（ｃ）はその底面図である。
【図１１】本発明の実施の形態２に係るパッティング練習装置の芝マットパーツを示す平面図である。
【発明を実施するための形態】
【００２３】
以下、本発明の実施の形態について説明する。
［発明の実施の形態１］
図１乃至図１０には、本発明の実施の形態１を示す。
【００２４】
実施の形態１に係るパッティング練習装置１は、図１〜図４に示すように、硬質の合成樹脂（例えば、ポリスチレン、ポリカーボネート、ＡＢＳ樹脂など）からなるＬ字形平板状の土台プレート２を有している。土台プレート２の上方には、グリッド状に配設された複数本（この実施の形態１では、６４本）の支柱８を介して、Ｌ字形平板状の芝マット３が、その全面にわたって略水平に支持されて設置されている。なお、支柱８は土台プレート２に対して着脱自在に設けられているとともに、芝マット３は支柱８に対して着脱自在に設けられている。
【００２５】
ここで、土台プレート２は、図９に示すように、複数枚（この実施の形態１では、４枚）の土台プレートパーツ５に着脱自在に分割しうるように構成されている。各土台プレートパーツ５はそれぞれ、略正方形板状のパーツ本体５１を有している。パーツ本体５１の周囲には、このパーツ本体５１を水平方向に複数連結するための複数個（この実施の形態１では１５個）の蟻掛け形状の連結片５２が所定の間隔で配設されている。また、パーツ本体５１の上面には、１６箇所の嵌合領域Ａ１が４行４列のマトリックス状に形成されており、各嵌合領域Ａ１にはそれぞれ、２５個の小型の第１嵌合部５３が５行５列のマトリックス状に所定のピッチＰ１でほぼ半球状に凸設されている。さらに、パーツ本体５１には、このパーツ本体５１を軽量化するための複数個（この実施の形態１では、９個）の丸孔５４が、嵌合領域Ａ１を避ける形で上下方向（図９紙面に直角な方向）に貫通して形成されている。
【００２６】
また、芝マット３は、図１に示すように、複数枚（この実施の形態１では、４枚）の芝マットパーツ６に着脱自在に分割しうるように構成されている。各芝マットパーツ６はそれぞれ、図１０に示すように、合成樹脂製の基板６１（その形状は板状でも容器でも構わない）上に、直接または衝撃緩和用のゴムやシリコーン樹脂、ウレタン素材などからなる弾性マット（図示せず）を介して、人工芝６２が貼り合わされて一体化されたものである。
【００２７】
そして、図１に示すように、複数枚の芝マットパーツ６のうち１枚の芝マットパーツ６のほぼ中央部には、パター（図示せず）で打球するゴルフボール７を置くパッティング位置ＰＰが定められているとともに、別の１枚の芝マットパーツ６のほぼ中央部には、図１および図１０に示すように、丸孔状のカップ用孔６３が上下方向（図１紙面に直角な方向）に貫通して形成されている。このカップ用孔６３にはカップ（図示せず）が着脱自在に嵌着されており、このカップの底部には、カップインしたゴルフボール７を通す挿通孔（図示せず）が形成されている。なお、この芝マットパーツ６は、カップを使用しないときには、図１０に示すように、カップ用孔６３を円盤状の蓋体６４で塞ぐことができるように構成されている。
【００２８】
また、各芝マットパーツ６にはそれぞれ、図１０（ｃ）に示すように、基板６１の下面に小型の第２被嵌合部６５が多数個、全面にわたって所定のピッチＰ２でほぼ半球状に凹設されている。
【００２９】
さらに、各支柱８はそれぞれ、図７に示すように、略四角柱状の支柱本体８１を有している。支柱本体８１の下面には、図７（ｃ）に示すように、２５個の小型の第１被嵌合部８３が、第２嵌合部８２に対応して５行５列のマトリックス状に所定のピッチＰ３でほぼ半球状に凹設されている。支柱本体８１の上面には、図７（ａ）、（ｂ）に示すように、２５個の小型の第２嵌合部８２が５行５列のマトリックス状に所定のピッチＰ４でほぼ半球状に凸設されている。
【００３０】
ここで、支柱８の第１被嵌合部８３のピッチＰ３は、土台プレートパーツ５の第１嵌合部５３のピッチＰ１に等しくなっている（Ｐ３＝Ｐ１）。そして、これらの第１嵌合部５３および第１被嵌合部８３により、支柱８を土台プレートパーツ５（したがって、土台プレート２）に位置決めする第１の位置決め手段９が構成されている。一方、支柱８の第２嵌合部８２のピッチＰ４は、芝マットパーツ６の第２被嵌合部６５のピッチＰ２に等しくなっている（Ｐ４＝Ｐ２）。そして、これらの第２嵌合部８２および第２被嵌合部６５により、芝マットパーツ６（したがって、芝マット３）を支柱８に位置決めする第２の位置決め手段１０が構成されている。
【００３１】
また、土台プレート２と芝マット３との間には、図４に示すように、カップインしたゴルフボール７（芝マットパーツ６のカップ用孔６３に嵌着されたカップに入ったゴルフボール７）を案内してパッティング位置ＰＰの近傍に戻す第１のボール回収装置１１が設けられている。この第１のボール回収装置１１は、とい（樋）形のボール通路１３と、このボール通路１３を斜めに支持する複数個のスタンド（支持台）１５と、パッティング位置ＰＰの近傍に設置されたボール貯留箱１７とを有している。
【００３２】
すなわち、土台プレート２と芝マット３との間には、図１に示すように、上下方向に所定の間隔（支柱８の高さに等しい間隔）Ｌ１を有する空間Ｓ１が形成されている。この空間Ｓ１には、図４および図６に示すように、ボール通路１３が、土台プレート２上に載置された複数個のスタンド１５に支持された形で水平方向から所定の傾斜角θ１だけ僅かに傾いて設置されている。このボール通路１３は、その一端（最上流部）１３ａが、芝マットパーツ６のカップ用孔６３に嵌着されたカップの挿通孔の下方に位置するとともに、他端（最下流部）１３ｂがボール貯留箱１７につながっている。そのため、カップインしたゴルフボール７は、ボール通路１３に沿って転動しつつボール貯留箱１７、つまりパッティング位置ＰＰの近傍に導かれるようになっている。
【００３３】
なお、各スタンド１５はそれぞれ、図６および図８に示すように、楕円錐台状のスタンド本体１５１を有しており、スタンド本体１５１の上部には、ボール通路１３の下面の形状にほぼ合致する支持面１５２が凹設されている。また、スタンド１５は、長軸がボール通路１３の軸心方向（ゴルフボール７が自重で移動する方向）に略直交するように設置されている。
【００３４】
また、芝マット３の周囲には、図１および図４に示すように、カップインし損ねて芝マット３の周囲を越えたゴルフボール７を案内してパッティング位置ＰＰの近傍に戻す第２のボール回収装置１２が設けられている。この第２のボール回収装置１２は、とい（樋）形の２本のボール通路１４（１４Ａ、１４Ｂ）と、これらのボール通路１４を斜めに支持する複数個のスタンド（支持台）１６と、パッティング位置ＰＰの近傍に設置されたボール貯留箱１７とを有している。なお、ボール貯留箱１７は、上述したとおり、第１のボール回収装置１１の構成要素の１つであると同時に、第２のボール回収装置１２の構成要素の１つでもある。
【００３５】
すなわち、芝マット３の周囲には、図１〜図５に示すように、２本のボール通路１４が複数個のスタンド１６に支持された形で水平方向から所定の傾斜角θ２だけ僅かに傾いて設置されている。なお、このボール通路１４の傾斜角θ２は、ボール通路１４の長さ等によって変わるため、２本のボール通路１４において、その傾斜角θ２は必ずしも一致しない。これらのボール通路１４は、その一端（最上流部）１４ａが芝マット３の周囲に位置するとともに、他端（最下流部）１４ｂがボール貯留箱１７につながっている。そのため、カップインし損ねて芝マット３の周囲を越えたゴルフボール７は、いずれかのボール通路１４に沿って転動しつつボール貯留箱１７、つまりパッティング位置ＰＰの近傍に導かれるようになっている。
【００３６】
なお、各スタンド１６はそれぞれ、図２、図３、図５および図８に示すように、楕円錐台状のスタンド本体１６１を有しており、スタンド本体１６１の上部には、ボール通路１４の下面の形状にほぼ合致する支持面１６２が凹設されている。また、スタンド１６は、長軸がボール通路１４の軸心方向（ゴルフボール７が自重で移動する方向）に略直交するように設置されている。
【００３７】
パッティング練習装置１は以上のような構成を有するので、このパッティング練習装置１を用いてゴルフのパッティング練習を行う際には、図１に想像線で示すように、パッティング位置ＰＰにゴルフボール７を置き、このゴルフボール７をカップに向けてパター（図示せず）で打球する。
【００３８】
そして、このゴルフボール７がカップインすると、このゴルフボール７は、土台プレート２と芝マット３との間に設けられた第１のボール回収装置１１により、ボール通路１３に沿って転動しつつ導かれてボール貯留箱１７、つまりパッティング位置ＰＰの近傍に戻る。
【００３９】
一方、このゴルフボール７がカップインし損ねた場合、芝マット３上にとどまったゴルフボール７は、自動的に回収することはできないが、芝マット３の周囲を越えたゴルフボール７は、芝マット３の周囲に設けられた第２のボール回収装置１２により、ボール通路１４に沿って転動しつつ導かれてボール貯留箱１７、つまりパッティング位置ＰＰの近傍に戻る。
【００４０】
このように、パッティング練習を行うときには、カップインしたゴルフボール７も、カップインしなかったゴルフボール７も、芝マット３上にとどまったゴルフボール７を除いて、パッティング位置ＰＰの近傍に戻すことができる。その結果、練習者は、パッティングの練習中に、打球済みのゴルフボール７をカップの近傍まで取りに行かなければならない面倒を避けることができ、パッティング練習に集中して取り組むことが可能となる。
【００４１】
また、第１のボール回収装置１１は、とい形のボール通路１３が土台プレート２と芝マット３との間に水平方向から傾いて設置され、カップインしたゴルフボール７がこのボール通路１３に沿って転動しつつ導かれるように構成されているので、上述した効果を奏するパッティング練習装置１を容易に実現することができる。
【００４２】
しかも、芝マット３は、上述したとおり、全面にわたって略水平に設置されているので、パッティング練習を行うときに、カップイン間際の距離感をつかむことが可能となる。
【００４３】
また、芝マット３は、上述したとおり、支柱８を介して土台プレート２の上方に支持されているので、パッティング練習装置１を簡素な構造で安価に構成することができる。
【００４４】
また、パッティング練習装置１は、上述したとおり、支柱８が土台プレート２に対して着脱自在に設けられ、この支柱８を土台プレート２に位置決めする第１の位置決め手段９が設けられているので、支柱８を土台プレート２に容易かつ迅速に位置決めすることができる。これに加えて、これらの支柱８と土台プレート２とが互いに分離可能になるため、支柱８と土台プレート２の一方の部品のみが損傷を受けた場合には、この損傷を受けた部品（柱８または土台プレート２）だけを修理または交換すれば済み、パッティング練習装置１全体を交換する必要はない。その結果、パッティング練習装置１の維持費を抑制することができる。
【００４５】
さらに、パッティング練習装置１は、上述したとおり、芝マット３が支柱８に対して着脱自在に設けられ、この芝マット３を支柱８に位置決めする第２の位置決め手段１０が設けられているので、芝マット３を支柱８に容易かつ迅速に位置決めすることができる。これに加えて、これらの芝マット３と支柱８とが互いに分離可能になるため、芝マット３と支柱８の一方の部品のみが損傷を受けた場合には、この損傷を受けた部品（芝マット３または支柱８）だけを修理または交換すれば済み、パッティング練習装置１全体を交換する必要はない。その結果、パッティング練習装置１の維持費を抑制することができる。
【００４６】
また、パッティング練習装置１は、上述したとおり、土台プレート２および芝マット３が、それぞれ複数の土台プレートパーツ５および芝マットパーツ６に着脱自在に分割しうるように構成されている。したがって、パッティング練習を行うときに、パッティング練習装置１を簡単に組み立てることができるとともに、パッティング練習を行わないときには、パッティング練習装置１の保管スペースを小さくすることが可能となる。
【００４７】
また、スタンド１５は、上述したとおり、楕円錐台状のスタンド本体１５１を有しているため、その重心が低くなり、安定性に優れる。しかも、スタンド１５の長軸がボール通路１３の軸心方向に略直交しているので、カップインしたゴルフボール７がボール通路１３に沿って転動する際に、ボール通路１３が左右に揺れないように踏ん張ることができ、ボール通路１３の横ずれを抑制することが可能となる。
【００４８】
同様に、スタンド１６は、上述したとおり、楕円錐台状のスタンド本体１６１を有しているため、その重心が低くなり、安定性に優れる。しかも、スタンド１６の長軸がボール通路１４の軸心方向に略直交しているので、カップインし損ねて芝マット３の周囲を越えたゴルフボール７がボール通路１４に沿って転動する際に、ボール通路１４が左右に揺れないように踏ん張ることができ、ボール通路１４の横ずれを抑制することが可能となる。
【００４９】
なお、このパッティング練習装置１は、主にパッティングの練習を行うためのものであるが、パッティングに限らず、ピッチングウェッジなどのショットの練習をも行えることは言及するまでもない。
［発明の実施の形態２］
図１１には、本発明の実施の形態２を示す。
【００５０】
実施の形態２に係るパッティング練習装置１では、図１１に示すように、芝マットパーツ６に３個のカップ用孔６３が一直線上に等間隔で配置されている。その他の構成については、上述した実施の形態１と基本的に同様であるので、同一の部材については、同一の符号を付してその説明を省略する。
【００５１】
したがって、この実施の形態２では、上述した実施の形態１と同じ作用効果を奏する。これに加えて、実施の形態２では、カップ用孔６３が３個設けられているため、これらのカップ用孔６３のうち任意の１個のカップ用孔６３にカップを嵌着するとともに、残り２個にカップ用孔６３を蓋体６４で塞いだ状態で、パッティング練習を行うことができる。
［発明のその他の実施の形態］
なお、上述した実施の形態１、２では、ボール通路１３、１４が複数個のスタンド１５、１６に支持されたパッティング練習装置１について説明した。しかし、ボール通路１３、１４が傾いて設置されるものである限り、ボール通路１３、１４の支持方法は特に限定されるわけではない。例えば、何本かの支柱８の側面にそれぞれ支持金具（ステー）を所定の高さで横向きに突出させて取り付け、これらの支持金具でボール通路１３、１４を支持するように構成しても構わない。
【００５２】
また、上述した実施の形態１、２では、土台プレート２が４枚の土台プレートパーツ５からなるとともに、芝マット３が４枚の芝マットパーツ６からなるパッティング練習装置１について説明した。しかし、土台プレートパーツ５を構成する土台プレート２の枚数や、芝マット３を構成する芝マットパーツ６の枚数は、４枚に限るわけではない。土台プレート２および芝マットパーツ６の枚数を増やすことにより、パットの距離（パッティング位置ＰＰからカップまでの距離）を伸ばすことができる。
【００５３】
また、上述した実施の形態１、２では、土台プレート２および芝マット３がＬ字形平板状であるパッティング練習装置１について説明した。しかし、複数枚の土台プレートパーツ５および複数枚の芝マットパーツ６の連結形状を適宜変更することにより、パッティング練習装置１全体を任意の形状（例えば、一直線状、クランク状、Ｕ字形など）に変更することができる。
【００５４】
また、上述した実施の形態１では、芝マットパーツ６のほぼ中央部に１個のカップ用孔６３が形成されているパッティング練習装置１について説明し、上述した実施の形態２では、芝マットパーツ６に３個のカップ用孔６３が一直線上に等間隔で配置されているパッティング練習装置１について説明した。しかし、カップ用孔６３の個数は、１個以上であれば何個でも構わない。また、カップ用孔６３が複数個（２個以上）である場合、その配置は任意である。さらに、カップ用孔６３が３個以上である場合、その配置は必ずしも一直線上である必要はなく、等間隔である必要もない。
【００５５】
また、上述した実施の形態１、２では、合成樹脂製の基板６１上に人工芝６２が貼り合わされて一体化された芝マットパーツ６を用いる場合について説明したが、この芝マットパーツ６は、このようなものに限るわけではない。例えば、人工芝からなる芝マットパーツ６を用いることもできる。また、合成樹脂製の基板（その形状は板状でも容器でも構わない）に防根シートや耐根シートが貼り合わされた芝マットパーツ６を用いることも可能である。さらに、植栽された天然芝を有する芝マットパーツ６を用いることもできる。なお、芝マットパーツ６が人工芝を備えている場合には、その人工芝の性質を変えることにより、ライン取りに必要な芝目を読む練習や、ゴルフボール７の転がり感をつかむ練習を行うことが可能となる。或いはまた、人工芝に代えて各種の起毛素材（図示せず）を用いることも勿論できる。一方、芝マットパーツ６が天然芝を備えている場合には、芝マットパーツ６ごとに天然芝をある程度生育させる機能や草刈の仕組みを作れば、この芝マットパーツ６を長期にわたって使えるようにすることが可能となる。
【００５６】
また、上述した実施の形態１、２では、パーツ本体５１の嵌合領域Ａ１にのみ第１嵌合部５３が形成された土台プレートパーツ５について説明したが、この第１嵌合部５３は、丸孔５４を除いてパーツ本体５１の上面全面に形成しても構わない。
【００５７】
また、上述した実施の形態１、２では、基板６１の下面全面に第２被嵌合部６５が形成された芝マットパーツ６について説明したが、この第２被嵌合部６５は、必ずしも基板６１の下面全面に形成する必要はない。
【００５８】
また、上述した実施の形態１、２では、土台プレートパーツ５の第１嵌合部５３および支柱８の第１被嵌合部８３がほぼ半球状に形成されているパッティング練習装置１について説明した。しかし、第１嵌合部５３と第１被嵌合部８３とが互いに嵌合しうるものである限り、ほぼ半球状以外の形状（例えば、円錐状、角錐状など）に形成してもよい。
【００５９】
また、上述した実施の形態１、２では、支柱８の第２嵌合部８２および芝マットパーツ６の第２被嵌合部６５がほぼ半球状に形成されているパッティング練習装置１について説明した。しかし、第２嵌合部８２と第２被嵌合部６５とが互いに嵌合しうるものである限り、ほぼ半球状以外の形状（例えば、円錐状、角錐状など）に形成してもよい。
【００６０】
また、上述した実施の形態１、２では、土台プレートパーツ５の第１嵌合部５３が凸設されているとともに、支柱８の第１被嵌合部８３が凹設されている場合について説明した。しかし、この凹凸を逆転して、土台プレートパーツ５の第１嵌合部５３を凹設するとともに、支柱８の第１被嵌合部８３を凸設するようにしても構わない。
【００６１】
また、上述した実施の形態１、２では、支柱８の第２嵌合部８２が凸設されているとともに、芝マットパーツ６の第２被嵌合部６５が凹設されている場合について説明した。しかし、この凹凸を逆転して、支柱８の第２嵌合部８２を凹設するとともに、芝マットパーツ６の第２被嵌合部６５を凸設するようにしても構わない。
【００６２】
また、上述した実施の形態１、２では、パッティング練習を行うときに、カップインしたゴルフボール７もカップインしなかったゴルフボール７も最終的に同じボール貯留箱１７に回収する場合について説明した。しかし、ボール通路１３、１４の他端につながるボール貯留箱１７を別個に設けることにより、カップインしたゴルフボール７とカップインしなかったゴルフボール７とを区別して集めることも可能である。このようにすれば、練習者は、カップインしたゴルフボール７の個数とカップインしなかったゴルフボール７の個数とを明確に計数できるので、カップイン率（パッティング位置ＰＰから打球したゴルフボール７のうちカップインしたゴルフボール７の割合）を容易に算出して、自分の腕前を把握することが可能となる。
【００６３】
また、上述した実施の形態１、２では、パッティング位置ＰＰが芝マットパーツ６のほぼ中央部に定められたパッティング練習装置１について説明した。しかし、このパッティング位置ＰＰは、必ずしも芝マットパーツ６のほぼ中央部に定める必要はない。また、このパッティング位置ＰＰは、必ずしも芝マットパーツ６上の１箇所に固定して定める必要はなく、パッティングの練習内容や練習者のパッティング技能その他の状況に応じて移動させても構わない。
【００６４】
さらに、上述した実施の形態１、２では、第１のボール回収装置１１と第２のボール回収装置１２の両方を備えたパッティング練習装置１について説明したが、パッティング練習装置１の使用状況や練習者のパッティング技能その他の状況に応じて、第２のボール回収装置１２を省くこともできる。この場合、第２のボール回収装置１２が不要となるので、その分だけパッティング練習装置１の製造コストを削減することが可能となる。
【産業上の利用可能性】
【００６５】
本発明は、ゴルフの練習者が自宅の室内などにおいて、パッティング練習を行う際に適用することができる。
【符号の説明】
【００６６】
１……パッティング練習装置
２……土台プレート
３……芝マット
５……土台プレートパーツ
６……芝マットパーツ
７……ゴルフボール
８……支柱
９……第１の位置決め手段
１０……第２の位置決め手段
１１……第１のボール回収装置
１２……第２のボール回収装置
１３、１４……ボール通路
１５、１６……スタンド
１７……ボール貯留箱
Ｌ１……所定の間隔
ＰＰ……パッティング位置
Ｓ１……空間
【図１】
2017153499.tif 000003
【図２】
2017153499.tif 000004
【図３】
2017153499.tif 000005
【図４】
2017153499.tif 000006
【図５】
2017153499.tif 000007
【図６】
2017153499.tif 000008
【図７】
2017153499.tif 000009
【図８】
2017153499.tif 000010
【図９】
2017153499.tif 000011
【図１０】
2017153499.tif 000012
【図１１】
2017153499.tif 000013